(57)【特許請求の範囲】
【請求項１】
遊技盤と、該遊技盤の中央部に配置され中央が開口したセンター部材と、該センター部材の内部に配置された図柄表示装置と、前記遊技盤の左右中央で且つセンター部材の下方に配置される入賞口と、該センター部材に配置される可動盤面部品と、前記遊技盤の左右中央を回避した前記センター部材の右下方に配置される大入賞口と、を備えた遊技機であって、
前記可動盤面部品は、
前記図柄表示装置の前方を所定の移動経路に沿って初期位置と終端位置との間を往復移動する装飾体本体と、
該装飾体本体が初期位置にある時に該装飾体本体前面を覆うと共に該装飾体本体の移動経路の中間位置まで追従移動する装飾体カバーと、
前記装飾体本体及び前記装飾体カバーを所定の移動経路に沿って往復移動させる移動機構と、前記駆動機構を駆動するモータと、を備え、
前記可動盤面部品は、
前記モータを制御することによって、前記装飾体本体と前記装飾体カバーを前記初期位置から前記中間位置まで同一速度で前進させる一方で、該中間位置では該装飾体カバーが前記駆動機構の前面に位置するように停止させつつ、該中間位置以降では該装飾体本体を単独で前記終端位置まで前進させて前記装飾体本体の前面を露出した状態にし、
該装飾体本体が前記終端位置から前記初期位置に戻る過程では前記中間位置で前記装飾体カバーの背後に達し、更に前記初期位置まで該装飾体カバーと一体的に移動することを特徴とする遊技機。
【発明の詳細な説明】
【技術分野】
【０００１】
本発明はパチンコ遊技機等の遊技盤面に沿って進退移動して遊技進行上特徴的な演出効果を発揮させる可動盤面部品の改良に関し、特に遊技盤面上を所定の軌道に沿って移動する装飾体と、装飾体を覆うカバーとを連携動作させて特徴的な演出効果を発揮させるようにした可動盤面部品を備えた遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置の液晶画面に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、本出願人の提案に係る特許文献１には、遊技盤の盤面と平行な左右方向へ往復移動する第１可動役物と、遊技盤の前後方向へ往復移動する第２可動役物と、を備えた役物装置が開示されている。これによれば、遊技内容の複雑、高度化に対応した演出を実現することができる。
【０００３】
ところで、可動役物を動作させるための駆動機構としては、ギヤ機構が一般的であり、特に固定部材によってスライド自在に支持された可動部材を直線移動させる場合にはラックギヤとピニオンギヤを用いたギヤ機構が多用されている。
例えば、図１５は本出願人が実施している可動盤面部品の構成、及び動作を示す正面側斜視図であり、この可動盤面部品はヨーヨーを象った装飾体１００を駆動機構１１０によって昇降させる構成を備えている。
駆動機構１１０は、図示しないモータを搭載した固定部材１１１によって昇降自在に支持された可動部材１１５によって装飾体１００を支持した構成を備えており、可動部材１１５が図示した上昇位置から下降することによって、装飾体１００は実線で示した上昇位置から破線で示した下降位置までの間を往復移動する。可動部材１１５は上下方向へ延びる図示しないラックギヤを備え、モータによって回転駆動されるピニオンギヤによってこのラックギヤを移動させることによって上下動する。
しかし、装飾体１００は遊技内容の進行に応じて上下方向へ単純に進退しながら発光するに過ぎず、遊技者の興趣を高めるには不十分な構成及び動作であった。又、装飾体１００が破線で示した下降位置に達すると、固定部材１１１の前面が露出してラックギヤやピニオンギヤが露出した状態となり、外観が悪化し、興趣を削ぐという問題があった。
【先行技術文献】
【特許文献】
【０００４】
【特許文献１】特開２００７−０２９２５５公報
【発明の概要】
【発明が解決しようとする課題】
【０００５】
従来、固定部材によりスライド自在に支持した可動部材を、各可動部材に設けたラックギヤを含むギヤ機構によって進退させる場合に、可動部材に固定した一つの装飾体が単純に往復移動するに過ぎなかったため、面白みに欠けるという不具合があった。
本発明は上記に鑑みてなされたものであり、装飾体を複数部材から構成し、各部材が結合したり分離しながら往復移動するように構成することにより、変化に富んだ動作を実現し、更に装飾体の背面側に位置するギヤ類が露出することを防止できる可動盤面部品を備えた遊技機を提供することを目的としている。
【課題を解決するための手段】
【０００６】
上記目的を達成するため、本発明では、遊技盤と、該遊技盤の中央部に配置され中央が開口したセンター部材と、該センター部材の内部に配置された図柄表示装置と、前記遊技盤の左右中央で且つセンター部材の下方に配置される入賞口と、該センター部材に配置される可動盤面部品と、前記遊技盤の左右中央を回避した前記センター部材の右下方に配置される大入賞口と、を備えた遊技機であって、前記可動盤面部品は、前記図柄表示装置の前方を所定の移動経路に沿って初期位置と終端位置との間を往復移動する装飾体本体と、該装飾体本体が初期位置にある時に該装飾体本体前面を覆うと共に該装飾体本体の移動経路の中間位置まで追従移動する装飾体カバーと、前記装飾体本体及び前記装飾体カバーを所定の移動経路に沿って往復移動させる移動機構と、前記駆動機構を駆動するモータと、を備え、前記可動盤面部品は、前記モータを制御することによって、前記装飾体本体と前記装飾体カバーを前記初期位置から前記中間位置まで同一速度で前進させる一方で、該中間位置では該装飾体カバーが前記駆動機構の前面に位置するように停止させつつ、該中間位置以降では該装飾体本体を単独で前記終端位置まで前進させて前記装飾体本体の前面を露出した状態にし、該装飾体本体が前記終端位置から前記初期位置に戻る過程では前記中間位置で前記装飾体カバーの背後に達し、更に前記初期位置まで該装飾体カバーと一体的に移動することを特徴とする。
また、本発明では、所定の移動経路に沿って初期位置と終端位置との間を往復移動する装飾体本体と、該装飾体本体を往復移動させる装飾体本体駆動機構と、該装飾体本体が初期位置にある時に該装飾体本体前面を覆うと共に該装飾体本体の移動経路の中間位置まで追従移動する装飾体カバーと、該装飾体カバーを往復移動させる装飾体カバー駆動機構と、装飾体本体駆動機構及び装飾体カバー駆動機構を駆動する駆動源を制御する制御手段と、を備えた可動盤面部品であって、前記制御手段は、前記駆動源を制御することによって、前記装飾体本体と前記装飾体カバーを前記初期位置から前記中間位置まで同一速度で前進させる一方で、該中間位置以降では該装飾体カバーを停止させつつ、該装飾体本体を単独で前記終端位置まで前進させ、該装飾体本体が前記終端位置から前記初期位置に戻る過程では前記中間位置で前記装飾体カバーの背後に達し、更に前記初期位置まで該装飾体カバーと一体的に移動する。
【０００７】
本発明では、モータを搭載した固定部材と、該固定部材の前面側に位置し該固定部材によって所定方向へ進退自在に支持された第１の可動部材と、該第１の可動部材の前面側に位置し該第１の可動部材によって前記方向と略同方向へ進退自在に支持された第２の可動部材と、を備えた可動盤面部品であって、前記固定部材は、前記第１の可動部材との対向面に固定ラックギヤを備え、前記第１の可動部材は、前記モータからの駆動力を伝達する中間ギヤと噛合する第１の可動ラックギヤを備えると共に、前記固定ラックギヤと噛合する第１のピニオンギヤ、該第１のピニオンギヤと順次噛合する一個又は複数個の伝達ギヤ、及び該伝達ギヤと噛合する第２のピニオンギヤを回転自在に軸支した構成を備え、前記第２の可動部材には、前記第２のピニオンギヤと噛合する第２の可動ラックギヤが設けられており、前記第２の可動部材には装飾体本体が固定されており、前記固定部材には、前記装飾体本体前面を覆うことができる装飾体カバーがスライド自在に支持されている。
【発明の効果】
【０００８】
本発明によれば、装飾体を複数部材から構成し、各部材が結合したり分離しながら往復移動するように構成することにより、変化に富んだ動作を実現できる。
【図面の簡単な説明】
【０００９】
【図１】本発明に係る電飾装置を備えたパチンコ遊技機の正面図である。
【図２】盤面部品を搭載した遊技盤の正面図である。
【図３】（ａ）及び（ｂ）は本発明の一実施形態に係る可動盤面部品を備えた可動盤面ユニットの正面図、及び本発明の可動盤面部品単独の正面側斜視図である。
【図４】（ａ）及び（ｂ）はこの可動盤面部品の背面図、及び背面側斜視図である。
【図５】可動盤面部品の背面側分解斜視図である。
【図６】固定部材と装飾体カバーとの組付け関係を示す分解斜視図である。
【図７】（ａ）（ｂ）及び（ｃ）は可動盤面部品を構成する大ヨーヨーが初期位置にある状態、中間位置にある状態、及び下降した状態を夫々示す正面側斜視図である。
【図８】（ａ）及び（ｂ）は可動盤面部品を構成する大ヨーヨーが初期位置にある状態、及び下降した状態を夫々示す背面側斜視図である。
【図９】（ａ）及び（ｂ）は第１の可動部材に伝達ギヤユニットを組み付けた状態を示す正面斜視図及び背面斜視図である。
【図１０】（ａ）（ｂ）及び（ｃ）は駆動側ギヤ群、第１及び第２の可動ラックギヤ、並びに伝達ギヤユニットとの関係で固定部材、第１及び第２の可動部材の昇降動作を説明する背面略図である。
【図１１】（ａ）及び（ｂ）は大ヨーヨーを搭載した第２の可動部材と、伝達ギヤユニットを搭載した第１の可動部材との組み付け構成例を示した背面側斜視図である。
【図１２】（ａ）（ｂ）及び（ｃ）は本発明の可動盤面部品の初期状態、中間状態、及び下降状態を示した一部断面側面図である。
【図１３】（ａ）（ｂ）及び（ｃ）は固定部材に対して大ヨーヨーカバーを組み付ける前の状態、組み付けた際の状態、及び大ヨーヨーカバーの下降状態を示す斜視図である。
【図１４】遊技盤面上の大ヨーヨーの動作を説明するための図である。
【図１５】従来の可動盤面部品の構成及び動作を説明するための正面側斜視図である。
【発明を実施するための形態】
【００１０】
以下、本発明を図面に示した実施の形態により詳細に説明する。
図１は本発明に係る電飾装置を備えたパチンコ遊技機の遊技盤部分の正面図であり、図２は遊技盤単体の正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部には、中央が開口したセンター部材５が配置される。センター部材５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。本例では、図柄表示装置６の前方に仮面を象った２枚の開閉片７が横方向へ開閉自在に配置されている。
【００１１】
センター部材５の上部には可動盤面ユニット３０が設けられている。可動盤面ユニット３０は、複数の小ヨーヨー３５と、遊技の進行に関与する大ヨーヨー４１を備えた可動盤面部品４０と、から構成されている。
遊技盤の左右中央で且つセンター部材の下方には入賞口Ａが配置されている。
センター部材５の右下方には、図柄表示装置６の特別図柄を可変表示させるための可変入賞装置１１が設けられている。また、可変入賞装置１１の右側には、普通図柄表示装置１６に表示される普通図柄を作動させるためのゲート１２が設けられている。さらに可変入賞装置１１の下方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
【００１２】
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１３】
図３（ａ）及び（ｂ）は本発明の一実施形態に係る可動盤面部品を備えた可動盤面ユニットの正面図、及び本発明の可動盤面部品単独の正面側斜視図であり、図４（ａ）及び（ｂ）はこの可動盤面部品の背面図、及び背面側斜視図であり、図５は可動盤面部品の背面側分解斜視図であり、図６は固定部材と装飾体カバーとの組付け関係を示す分解斜視図であり、図７（ａ）（ｂ）及び（ｃ）は可動盤面部品を構成する大ヨーヨーが初期位置にある状態、中間位置にある状態、及び下降した状態を夫々示す正面側斜視図であり、図８（ａ）及び（ｂ）は可動盤面部品を構成する大ヨーヨーが初期位置にある状態、及び下降した状態を夫々示す背面側斜視図であり、図９（ａ）及び（ｂ）は第１の可動部材に伝達ギヤユニットを組み付けた状態を示す正面斜視図及び背面斜視図であり、図１０（ａ）（ｂ）及び（ｃ）は駆動側ギヤ群、第１及び第２の可動ラックギヤ、並びに達ギヤユニットとの関係で固定部材、第１及び第２の可動部材の昇降動作を説明する背面略図であり、図１１（ａ）及び（ｂ）は大ヨーヨーを搭載した第２の可動部材と、伝達ギヤユニットを搭載した第１の可動部材との組み付け構成例を示した背面側斜視図であり、図１２（ａ）（ｂ）及び（ｃ）は本発明の可動盤面部品の初期状態、中間状態、及び下降状態を示した一部断面側面図であり、図１３（ａ）（ｂ）及び（ｃ）は固定部材に対して大ヨーヨーカバーを組み付ける前の状態、組み付けた際の状態、及び大ヨーヨーカバーの下降状態を示す斜視図であり、図１４は遊技盤面上の大ヨーヨーの動作を説明するための図である。
【００１４】
図３（ａ）に示した可動盤面ユニット３０はセンター部材５の上部に固定されており、センター部材に固定される固定ベース３１と、固定ベース３１によって個別に上下動自在に支持された複数の小ヨーヨー３５と、固定ベース３１によって夫々上下動自在に支持された大ヨーヨー（装飾体）４１を含んだ可動盤面部品４０と、を備えている。
可動盤面部品４０は、固定ベース３１に固定され且つモータ６０を搭載した固定部材４５と、固定部材４５の前面側に位置し固定部材によって上下方向へ進退自在に支持された第１の可動部材７０と、第１の可動部材７０の前面側に位置し第１の可動部材によって上下方向へ進退自在に支持された第２の可動部材８０と、を概略備える。可動盤面部品は、図示しない制御手段によって制御される。
【００１５】
第１及び第２の可動部材７０、８０は、図３、図４、図７（ａ）、図８（ａ）に示すように固定部材４５と近接した（重なった）初期位置（上昇位置）と、図７（ｃ）、図８（ｂ）に示すように固定部材から下降した伸長位置（下降位置）との間を進退自在に構成されている。また、第２の可動部材８０は、第１の可動部材７０と近接した（重なった）初期位置から離間した伸長位置（下降位置）まで進退する。
固定部材４５は、第１の可動部材７０との対向面（前面）に上下方向へ延びる固定ラックギヤ４６を備えている。
【００１６】
第１の可動部材７０は、モータ６０の出力軸に固定された出力ギヤ（ウォーム）６１と連結された複数の中間ギヤ６２と噛合して駆動力の伝達を受ける第１の可動ラックギヤ７１を備えると共に、固定ラックギヤ４６と噛合する第１のピニオンギヤ７５、第１のピニオンギヤ７５と順次噛合する直列に配列された複数個の伝達ギヤ７６ａ〜７６ｃ、及び最終の伝達ギヤ７６ｃと噛合する第２のピニオンギヤ７７を回転自在に軸支した構成を備える。第１のピニオンギヤ７５、伝達ギヤ７６ａ〜７６ｃ、及び第２のピニオンギヤ７７と、これらのギヤ群を回転自在に支持するギヤ支持部材（ギヤケース）７８は、伝達ギヤユニットＵを構成しており、本例では、伝達ギヤユニットＵは第１の可動部材７０に対して後付けされる。なお、本例では、ウォームである出力ギヤ６１と直接噛合する中間ギヤ６２はウォームホイールであり、両ギヤにてウォームギヤを構成しており、強い出力を得ることができる。
伝達ギヤの個数は問わず、１個、或いは２個以上であれば良い。
出力ギヤ６１、及び中間ギヤ６２は、駆動側ギヤ群を構成している。
第２の可動部材８０の前面には、第２のピニオンギヤ７７と噛合する第２の可動ラックギヤ８１が固定（形成）されている。
第１の可動部材７０に搭載されたギヤ群、及び第２の可動部材８０に搭載されたギヤ群は、装飾体本体駆動機構（駆動機構）及び装飾体カバー駆動機構（駆動機構）を構成しており、各駆動機構は駆動源としてのモータ６０を制御手段が制御することによって制御される。
【００１７】
また、大ヨーヨー（装飾体）４１は、第２の可動部材８０に固定されて第２の可動部材８０と一体的に昇降する大ヨーヨー本体（装飾体本体）９０と、固定部材４５によって上下方向へスライド自在に支持されて昇降する大ヨーヨーカバー（装飾体カバー）９５と、から構成されており、大ヨーヨー本体９０が図７（ａ）に示した上昇位置（初期位置）にある時と図７（ｂ）に示した中間位置にある時には大ヨーヨーカバー９５が大ヨーヨー本体９０の前面を覆っている一方で、大ヨーヨー本体９０が図７（ｃ）に示した下降位置（終端位置）にある時には大ヨーヨーカバー９５が中間位置で停止しているために、単独で下降位置にまで達した大ヨーヨー本体９０の前面が露出した状態にある。
本発明の特徴は、大ヨーヨー４１を大ヨーヨー本体９０と大ヨーヨーカバー９５とから構成し、大ヨーヨー本体９０と大ヨーヨーカバー９５を初期位置から中間位置まで同一速度で前進（下降）させる一方で、中間位置以降では大ヨーヨーカバーを停止させつつ大ヨーヨー本体を下降位置（終端位置）まで前進させ、大ヨーヨー本体９０が下降位置から上昇位置に戻る過程では中間位置で大ヨーヨーカバー９５の背後に達し、更に上昇位置まで大ヨーヨーカバーと一体的に移動するように構成、制御した点にある。
【００１８】
図６に示すように大ヨーヨーカバー９５は、上部から後方にクランク状に突出した連結片９５ａを有し、連結片９５ａはスライド片９６に螺子止め固定される。スライド片９６の両端部には、固定部材４５の左右両端から張り出したスライドガイド片４８とスライド自在に係合する係合部（凹所）９６ａを有し、スライドガイド片４８の上下方向寸法Ｌの範囲内で固定部材４５と相対的に上下動する。スライドガイド片４８の下端部にはストッパ４８ａが突設しており、ストッパ４８ａを越えてスライド片９６が下方へ移動できないように構成されている。このため、スライド片９６と一体化された大ヨーヨーカバー９５は、スライドガイド片４８の上下方向寸法Ｌの範囲内で固定部材４５に対して相対的に上下動することができる。
なお、本発明の他の特徴的な構成は、モータ６０からの駆動力によって昇降する第１の可動部材７０によって昇降自在に支持された第２の可動部材８０を駆動するギヤ手段として、第１の可動部材を駆動する中間ギヤ６２とは別個の伝達ギヤユニットＵを利用した点にある。つまり、第２の可動部材８０は中間ギヤ６２によって直接駆動されるのではなく、固定部材に固定配置された固定ラックギヤ４６と噛合する伝達ギヤユニットＵを介して駆動力を得るように構成されている。
【００１９】
中間ギヤ６２は、固定部材４５に形成した開口４５ａを介して第１の可動ラックギヤ７１と噛合しており、中間ギヤ６２の正逆回転によって第１の可動ラックギヤを昇降させる。図８は、中間ギヤ６２が第１の可動ラックギヤ７１と噛合している状態を示しており、出力ギヤ６１に対して順次噛合する複数の中間ギヤ６２のうちの最終の中間ギヤ６２ａが第１の可動ラックギヤ７１と噛合して第１の可動部材７０に駆動力を伝達する。
固定ラックギヤ４６は、第１の可動部材７０に形成した開口７０ａを介して第１のピニオンギヤ７５と噛合している。第１の可動部材７０が昇降する過程で伝達ギヤユニットＵがこれと一体的に昇降動作する一方で、第１のピニオンギヤ７５が固定ラックギヤ４６と噛合しつつ昇降移動するため第１のピニオンギヤ７５は回転駆動される。このため、第１のピニオンギヤ７５と順次噛合している伝達ギヤ７６ａ〜７６ｃ、及び第２のピニオンギヤ７７が順次回転する。第２のピニオンギヤ７７の駆動力は第２の可動ラックギヤ８１に伝達されるため、第２の可動部材８０を昇降させることができる。
【００２０】
固定部材４５の左右両側には夫々長穴４５ｂが形成されており、これらの長穴には第１の可動部材７０の前面に突設したボス部７０ｂが遊嵌することによって固定部材に対して第１の可動部材は一定の軌道に沿って昇降自在に支持されている。各ボス部７０ｂが各長穴４５ｂから脱落することを防止するために係止部材４５ｃが各ボス部先端に螺子止め固定されている。なお、一方の係止部材４５ｃには被検知部４５ｄが設けられており、固定部材４５（モータ支持部）に固定した光センサ４７が被検知部４５ｄを検知して図示しない制御手段に送信することにより、大ヨーヨー４１の昇降状態を制御手段が知ることができる。
【００２１】
伝達ギヤユニットＵは図９（ａ）に示すように第１の可動部材７０の前面側に組み付けられ、図９（ｂ）に示すように第１のピニオンギヤ７５を開口７０ａから後方へ露出させる。また、第１のピニオンギヤ７５は開口７０ａを介して後方に位置する固定部材４５の固定ラックギヤ４６と噛合させる。第２のピニオンギヤ７７は第２の可動ラックギヤ８１と噛合する。
このように固定部材４５に設けた固定ラックギヤ４６と第２の可動部材８０に設けた第２のラックギヤ８１との間に伝達ギヤユニットＵを介在させることにより、モータ６０によって昇降駆動される第１の可動部材７０の駆動力を第２の可動部材８０に伝達するように構成している。
第２の可動部材８０は、中間ギヤ６２によって直接駆動されるのではなく、自らが第１の可動部材と共に昇降する際に固定ラックギヤ４６との間に発生する変位を利用して伝達ギヤユニットを回転駆動させ、この伝達ユニットからの駆動力を利用して第１の可動部材に対して昇降する。
【００２２】
次に、図９（ａ）に示すように第１の可動部材７０と、大ヨーヨー本体９０を固定的に搭載した第２の可動部材８０との間にはコイルバネ８５（弾性部材）が配置されており、第１の可動部材８０によって第２の可動部材８０を上向きに引き上げるように構成されている。即ち、コイルバネ８５の上端部８５ａは第１の可動部材７０の上部に固定される一方で、下端部８５ｂは第２の可動部材８０の下部適所に固定されている。このため、コイルバネ８５は第２の可動部材が第１の可動部材に対して下降した位置から上昇する際に上昇方向へ付勢することによりモータの負荷を低減させることができる。
【００２３】
図５中の符号４２は、大ヨーヨー本体回転機構である。大ヨーヨー本体９０は第２の可動部材８０によって背面を固定される中空の外ケース４１ａと、外ケース４１ａの内部に回転自在に軸支された図示しない回転盤と、回転盤に搭載されて図示しないＬＥＤを備え、回転盤の回転軸４１ｂには、大ヨーヨー本体回転機構４２が結合して回転盤を回転駆動するように構成されている。大ヨーヨー本体回転機構４２は、制御手段からの制御信号に基づいて所定のタイミングにてオンオフ駆動されるモータ４２ａ、モータの出力ギヤ（ウォーム）４２ｂ、これと直接噛合するウォームホイール４２ｃと、回転軸４１ｂに一体化されてウォームホイール４２ｃによって回転駆動される回転盤側ギヤ４２ｄと、を備えている。モータの出力ギヤ（ウォーム）４２ｂからの駆動力がウォームホイール４２ｃ、ウォームホイール４２ｃを介して回転盤側ギヤ４２ｄに伝達されて回転盤を回転させる。
大ヨーヨー本体回転機構４２は、第２の可動部材８０に形成した開口８０ａ内に収容される。
【００２４】
次に、図１１（ａ）及び（ｂ）は大ヨーヨー本体９０を搭載した第２の可動部材８０と、伝達ギヤユニットＵを搭載した第１の可動部材７０との組み付け構成例を示しており、第２の可動部材８０の背面側左右両側縁に夫々突設した内向きＬ字状の被ガイドレール８２に対して、第１の可動部材７０の前面側左右両側片に夫々突設した外向きＬ字状のガイドレール７２を係合させることにより、両者は相対的に上下動するように構成されている。
組付けに際しては、図１１に示すように第１の可動部材７０の上方から第２の可動部材８０を下降させて、被ガイドレール８２がガイドレール７２に係合するように組み付ける。
図１１、図１２中に示すように第２の可動ラックギヤ８１の上部付近には突起状のストッパ８３が設けられており、更に第１の可動部材７０の前面側下部（本例ではギヤ支持部材７８の下部）にはストッパ８３と係合可能なストッパ７３が突設されている。図１１のように第１の可動部材７０に対して上方からスライドして組み付けられた第２の可動部材８０が、第１の可動部材に対して相対的に下降する際の限界位置は、これらのストッパ８３、７３同士の係合によって定められる。ストッパ８３、７３同士の係合によって、第２の可動部材８０が第１の可動部材７０を越えて下方へ脱落することが防止される。このため、図１２（ｃ）に示すように第２の可動ラックギヤ８１が第２のピニオンギヤ７７から脱落して更に下方へ移動することが防止できる。
【００２５】
以上の構成を有した各部品を組み付けることによって可動盤面部品４０を構築する際には、モータ６０、駆動側ギヤ群６１、６２、及び大ヨーヨーカバー９５を搭載した固定部材４５に対して、伝達ギヤユニットＵを搭載した第１の可動部材７０、大ヨーヨー本体９０及び大ヨーヨー本体回転機構４２を搭載した第２の可動部材８０を順次組み付ける。
第１の可動部材７０は固定部材の長穴４５ｂにボス部７０ｂを遊嵌することによって固定部材４５によって上下動自在に支持されており、第２の可動部材８０は被ガイドレール８２を第１の可動部材のガイドレール７２に係合させることによって上下動自在に支持されている。また、第２の可動部材８０が第１の可動部材７０の下方へ抜け落ちることはストッパ８３、７３によって阻止されている。更に、第１の可動部材７０が固定部材４５から抜け落ちることは、ストッパ７４、４５ｆ同士の係合によって阻止されている。
伝達ギヤユニットＵを構成する伝達ギヤ列を用いて第２の可動部材を昇降させるように構成した場合であっても、第２の可動部材の伸長時に第２の可動ラックギヤと伝達ギヤとが離脱する可能性は全く否定できない。このストッパを設けることにより、脱落の発生を確実に防止できる。
【００２６】
次に、図７（ａ）、図１２（ａ）のように可動盤面部品４０が初期位置（大ヨーヨーの最上昇位置）にあるときに、固定部材４５に対して第１及び第２の可動部材７０、８０は最上昇位置（初期位置）にある。この時、大ヨーヨーカバー９５は大ヨーヨー本体９０の前面を覆った状態にある。
この状態でモータ６０を大ヨーヨーを下降させる方向に回転させると、中間ギヤ６２ａが回転し、開口部４５ａを介して噛合する第１の可動ラックギヤ７１に対して第１の可動部材７０を下方へ移動させる力を伝達する。
第１の可動部材７０が下降を開始すると、第１の可動部材に搭載された伝達ギヤユニットＵを構成する第１のピニオンギヤ７５が固定部材背面の固定ラックギヤ４６と噛合しながら下降するため、第１のピニオンギヤ７５が回転を開始し、各伝達ギヤ７６ａ、７６ｂを介して第２のピニオンギヤ７７に駆動力が伝達される。第２のピニオンギヤ７７は、第２の可動ラックギヤ８１と噛合しているため第１の可動部材に対して第２の可動部材８０及び大ヨーヨー本体９５を下降させることができる（図７、図１０、図１２参照）。
【００２７】
大ヨーヨー本体９０が下降する過程において、第１の可動部材７０が下降を停止して第２の下降部材８０が単独で下降を開始した後においても、スライド片９６はスライドガイド片４８の高さ方向寸法Ｌの範囲内で下方へ移動することができるため、暫く大ヨーヨーカバーは大ヨーヨー本体と共に下降する。スライド片９６がスライドガイド片４８の下限位置にあるストッパ４８ａに達すると、大ヨーヨーカバー９５はそれ以上の下降が禁止される。
図７（ａ）等に示した最上昇位置から図７（ｂ）等に示した中間位置に達した時点では、大ヨーヨーカバー９５を支持するスライド片９６はストッパ４８ａによってそれ以上下降できない状態にある。この時、大ヨーヨーカバー９５は、大ヨーヨーの前面を覆った状態にある。更に、モータを下降方向へ回転させると、大ヨーヨー本体９０だけが単独で下降を継続して図７（ｃ）の最下降位置に達する。
【００２８】
一方、下降位置にある大ヨーヨーを初期位置に復帰させる場合には、モータ６０を逆回転させることにより下降時とは逆の動作によって第２の可動部材８０、第１の可動部材７０が順次上昇してゆく。この際、コイルバネ８５（弾性部材）が第２の可動部材８０の上昇をサポートしてモータの負荷を軽減する。
この上昇過程では、大ヨーヨー本体９０と大ヨーヨーカバー９５は、下降時とは逆の手順にて上昇してゆく。即ち、図７（ｃ）の最下降状態では大ヨーヨーは大ヨーヨーカバーの下方に離間しているが、大ヨーヨーが上昇するに従って停止状態にある大ヨーヨーカバーによって隠蔽されてゆき、図７（ｂ）の中間位置では完全に隠蔽される。なお、中間位置から最上昇位置に達する過程で大ヨーヨーカバーは大ヨーヨーによって押圧されながら上昇する。最後に図７（ａ）の最上昇位置に達して上昇を停止する。
【００２９】
以上のように本発明では、装飾体４１を複数部材９０、９５から構成し、各部材が接近したり分離しながら往復移動するように構成することにより、変化に富んだ動作を実現することができる。
また、大ヨーヨー９０が下降位置にある時に、その直上位置に大ヨーヨーカバー９５が位置しているため、固定部材４５、第１の可動部材７０の前面に露出配置された各ギヤ機構が大ヨーヨーカバー９５によって隠蔽された状態となる。このため、ギヤ機構が遊技者に視認されることによる興趣の低下を防止することができる。
また、本発明の可動盤面部品４０によれば、固定部材によりスライド自在に支持した第１の可動部材と、第２の可動部材によりスライド自在に支持した第２の可動部材とをラックギヤを含むギヤ機構によってスライド動作させる際に、第２の可動部材に対するモータ６０からの駆動力の伝達を、第１の可動部材に搭載した複数の平歯ギヤから成る伝達ギヤユニットを介して行うようにしたので、第２の可動部材に形成した第２の可動ラックギヤが第２の可動部材の下降時に伝達ギヤユニットから一時的に離脱することがなくなった。このため、第２の可動部材の上昇時にモータに加わる負荷が増大するという不具合を解消できる。特に、弾性部材８５によって第２の可動部材の上昇を補助するようにしているので、モータ６０の負荷を大幅に低減できる。
【００３０】
また、２つのピニオンギヤと、各ピニオンギヤを連結する伝達ギヤから成る伝達ギヤユニットＵを用いて、固定ラックギヤ４６と第２の可動ラックギヤ８１との間を第２の可動部材８０の昇降動作中常に連結しているため、ギヤ同士の離脱による再噛合時の噛合不能や噛合不良が発生することがない。即ち、伝達ギヤユニットは複数個のギヤから構成されるため、大ヨーヨーの移動方向に沿って十分な長さを有しており、第１の可動部材に対する第２の可動部材のスライド距離が大きくなったとしても伝達ギヤユニットと第２の可動ラックギヤとの噛合状態を離脱させずに駆動力の伝達を継続することができる。
また、前後方向に重なった状態で配置された固定部材、第１及び第２の可動部材に夫々搭載されたラックギヤ間をギヤを用いて連結するために、固定部材と第１の可動部材に夫々設けた開口部を介してギヤ結合を実現しているので、面積の増大を防ぎ、コンパクト化することができる。
【００３１】
また、各伝達ギヤ、ピニオンギヤを第１の可動部材の本体に直接組み付けるよりは、別部材のギヤ支持部材に組み付けた伝達ギヤユニットを構築し、これを第１の可動部材に取り付けることにより、組立作業性を高めることができる。
なお、上記実施形態では、大ヨーヨー（装飾体）を上下方向へ進退させる構成例について説明したが、本発明は横方向、斜め方向等々種々の方向へ進退させる場合も含むものである。
本発明の可動盤面部品を遊技盤に組み込むことにより構築される遊技盤ユニットは、パチンコ遊技機、その他の遊技機に適用することができる。
【符号の説明】
【００３２】
１…遊技盤、１ａ…遊技領域、２…ガラス枠、３…皿部、４…発射レバー、５…センター部材、６…図柄表示装置、７…開閉片、１０…アウト口、１１…可変入賞装置、１２…ゲート、１３…大入賞口、１４…普通入賞口、１５…風車、１６…普通図柄表示装置、３０…可動盤面ユニット、３１…固定ベース、３５…小ヨーヨー、４０…可動盤面部品、４１…大ヨーヨー（装飾体）、４１ａ…外ケース、４１ｂ…回転軸、４２…大ヨーヨー本体回転機構、４２ａ…モータ、４２ｃ…ウォームホイール、４２ｄ…回転盤側ギヤ、４５…固定部材、４５ａ…開口、４５ｂ…長穴、４５ｃ…係止部材、４５ｄ…被検知部、４５ｅ…モータ支持部、４５ｆ…ストッパ、４６…固定ラックギヤ、４７…光センサ、６０…モータ、６１…出力ギヤ、６２…中間ギヤ、６２ａ…中間ギヤ、７０…第１の可動部材、７０ａ…開口、７０ｂ…ボス部、７１…ラックギヤ、７２…ガイドレール、７３…ストッパ、７５…ピニオンギヤ、７６ａ、７６ｂ、７６ｃ…伝達ギヤ、７７…ピニオンギヤ、７８…ギヤ支持部材、８０…第２の可動部材、８０ａ…開口、８１…ラックギヤ、８１…可動ラックギヤ、８２…被ガイドレール、８３…ストッパ、８５…コイルバネ（弾性部材）、８５ａ…上端部、８５ｂ…下端部、９０…大ヨーヨー本体（装飾体本体）、９５…大ヨーヨーカバー（装飾体カバー）
【図１】
0005639861.tif 000002
【図２】
0005639861.tif 000003
【図３】
0005639861.tif 000004
【図４】
0005639861.tif 000005
【図５】
0005639861.tif 000006
【図６】
0005639861.tif 000007
【図７】
0005639861.tif 000008
【図８】
0005639861.tif 000009
【図９】
0005639861.tif 000010
【図１０】
0005639861.tif 000011
【図１１】
0005639861.tif 000012
【図１２】
0005639861.tif 000013
【図１３】
0005639861.tif 000014
【図１４】
0005639861.tif 000015
【図１５】
0005639861.tif 000016